(57)【要約】【課題】撮影実行の要所要所で関係者を呼び寄せる機能を有する医用画像撮影装置を実現する。【解決手段】関係者の呼び出しを含む撮影のシーケンスを記憶する記憶手段（６６）と、シーケンスにしたがって撮影を実行する撮影手段（２，４，６）と、シーケンスにしたがって関係者の呼び出しを行う呼出手段（１２）とを具備する。例えば、Ｘ線ＣＴ装置で造影撮影等を行う場合、撮影実行の要所要所で医師や介護者等を呼び寄せることができる。【選択図】      図１
2004167041.tif 000002
【特許請求の範囲】
【請求項１】
関係者の呼び出しを含む撮影のシーケンスを記憶する記憶手段と、
前記シーケンスにしたがって撮影を実行する撮影手段と、
前記シーケンスにしたがって関係者の呼び出しを行う呼出手段と、
を具備することを特徴とする医用画像撮影装置。
【発明の詳細な説明】
【０００１】
【発明の属する技術分野】
本発明は、医用画像撮影装置に関し、特に、所定のシーケンス（ｓｅｑｕｅｎｃｅ）にしたがって撮影を実行する医用画像撮影装置に関する。
【０００２】
【従来の技術】
従来、Ｘ線ＣＴ（ｃｏｍｐｕｔｅｄ  Ｔｏｍｏｇｒａｐｈｙ）装置で造影撮影を行う場合は、例えば、出願時に未公開の特許出願特願２００１−２８９２３０（第１５−１７頁、図１、５）に記載されているように、所定のシーケンスにしたがって撮影が実行される。
【０００３】
【発明が解決しようとする課題】
撮影実行の過程では、要所要所で医師や介護者等の関係者が患者の処置に関与する。それら関係者は、所要の段階で所要の処置を患者に施せばよいので、合間を見て別な作業を別な場所で行うことがある。そのような場合は、所要の段階が来るたびに、関係者を呼び寄せなければならない
そこで、本発明の課題は、撮影実行の要所要所で関係者を呼び寄せる機能を有する医用画像撮影装置を実現することである。
【０００４】
【課題を解決するための手段】
上記の課題を解決するための本発明は、関係者の呼び出しを含む撮影のシーケンスを記憶する記憶手段と、前記シーケンスにしたがって撮影を実行する撮影手段と、前記シーケンスにしたがって関係者の呼び出しを行う呼出手段と、
を具備することを特徴とする医用画像撮影装置である。
【０００５】
本発明では、関係者の呼び出しを含む撮影のシーケンスを記憶し、シーケンスにしたがって撮影を実行するとともに、シーケンスにしたがって関係者の呼び出しを行うので、撮影実行の要所要所で関係者を呼び寄せることができる。
【０００６】
【発明の実施の形態】
以下、図面を参照して本発明の実施の形態を詳細に説明する。なお、本発明は実施の形態に限定されるものではない。図１にＸ線ＣＴ装置のブロック（ｂｌｏｃｋ）図を示す。本装置は本発明の実施の形態の一例である。本装置の構成によって、本発明の装置に関する実施の形態の一例が示される。
【０００７】
図１に示すように、本装置は、走査ガントリ（ｇａｎｔｒｙ）２、撮影テーブル（ｔａｂｌｅ）４、操作コンソール（ｃｏｎｓｏｌｅ）６、造影剤注入装置１０、呼出装置１２および携帯通信端末１４を備えている。
【０００８】
走査ガントリ２、撮影テーブル４および操作コンソール６からなる部分は、本発明における撮影手段の実施の形態の一例である。呼出装置１２は、本発明における呼出手段の実施の形態の一例である。
【０００９】
走査ガントリ２はＸ線管２０を有する。Ｘ線管２０から放射された図示しないＸ線は、コリメータ（ｃｏｌｌｉｍａｔｏｒ）２２により扇状のＸ線ビーム（ｂｅａｍ）すなわちファンビーム（ｆａｎ  ｂｅａｍ）となるように成形され、Ｘ線検出器２４に照射される。
【００１０】
Ｘ線検出器２４は、扇状のＸ線ビームの広がりの方向にアレイ（ａｒｒａｙ）状に配列された複数の検出素子を有する。Ｘ線検出器２４の構成については後にあらためて説明する。Ｘ線管２０、コリメータ２２およびＸ線検出器２４は、Ｘ線照射・検出装置を構成する。Ｘ線照射・検出装置については後にあらためて説明する。
【００１１】
Ｘ線検出器２４にはデータ収集部２６が接続されている。データ収集部２６はＸ線検出器２４の個々の検出素子の検出信号をディジタルデータ（ｄｉｇｉｔａｌ  ｄａｔａ）として収集する。
【００１２】
Ｘ線管２０からのＸ線の照射は、Ｘ線コントローラ（ｃｏｎｔｒｏｌｌｅｒ）２８によって制御される。なお、Ｘ線管２０とＸ線コントローラ２８との接続関係については図示を省略する。コリメータ２２は、コリメータコントローラ３０によって制御される。なお、コリメータ２２とコリメータコントローラ３０との接続関係については図示を省略する。
【００１３】
以上のＸ線管２０からコリメータコントローラ３０までのものが、走査ガントリ２の回転部３４に搭載されている。回転部３４の回転は、回転コントローラ３６によって制御される。なお、回転部３４と回転コントローラ３６との接続関係については図示を省略する。
【００１４】
撮影テーブル４は、図示しない撮影の対象（患者）を走査ガントリ２のＸ線照射空間に搬入および搬出するようになっている。対象とＸ線照射空間との関係については後にあらためて説明する。
【００１５】
造影剤注入装置１０は、撮影テーブル４上の対象に造影剤を注入するようになっている。造影剤の注入は例えば静脈注射等によって行われる。呼出装置１２は無線通信によって携帯通信端末１４を呼び出すようになっている。携帯通信端末１４は、医師や介護者等、本装置による撮影の関係者が個々に携帯しているものである。
【００１６】
操作コンソール６はデータ処理装置６０を有する。データ処理装置６０は、例えばコンピュータ（ｃｏｍｐｕｔｅｒ）等によって構成される。データ処理装置６０には、制御インタフェース（ｉｎｔｅｒｆａｃｅ）６２が接続されている。制御インタフェース６２には、走査ガントリ２、撮影テーブル４、造影剤注入装置１０および呼出装置１２が接続されている。データ処理装置６０は制御インタフェース６２を通じて走査ガントリ２、撮影テーブル４、造影剤注入装置１０および呼出装置１２を制御する。
【００１７】
走査ガントリ２内のデータ収集部２６、Ｘ線コントローラ２８、コリメータコントローラ３０および回転コントローラ３６が制御インタフェース６２を通じて制御される。なお、それら各部と制御インタフェース６２との個別の接続については図示を省略する。
【００１８】
データ処理装置６０には、また、データ収集バッファ６４が接続されている。データ収集バッファ６４には、走査ガントリ２のデータ収集部２６が接続されている。データ収集部２６で収集されたデータがデータ収集バッファ６４を通じてデータ処理装置６０に入力される。
【００１９】
データ処理装置６０は、データ収集バッファ６４を通じて収集した複数ビューの透過Ｘ線データを用いて画像再構成を行う。画像再構成には、例えばフィルタード・バックプロジェクション（ｆｉｌｔｅｒｅｄ  ｂａｃｋ  ｐｒｏｊｅｃｔｉｏｎ）法等が用いられる。
【００２０】
データ処理装置６０には、また、記憶装置６６が接続されている。記憶装置６６は各種のデータやプログラム（ｐｒｏｇｒａｍ）等を記憶している。データ処理装置６０が記憶装置６６に記憶されたプログラムを実行することにより、撮影実行に関わる各種のデータ処理が行われる。記憶装置６６は、本発明における記憶手段の実施の形態の一例である。
【００２１】
データ処理装置６０には、また、表示装置６８および操作装置７０が接続されている。表示装置６８は、データ処理装置６０から出力される再構成画像やその他の情報を表示する。操作装置７０は、使用者によって操作され、各種の指示や情報等をデータ処理装置６０に入力する。使用者は表示装置６８および操作装置７０を使用してインタラクティブ（ｉｎｔｅｒａｃｔｉｖｅ）に本装置を操作する。
【００２２】
図２に、Ｘ線検出器２４の模式的構成を示す。同図に示すように、Ｘ線検出器２４は、複数の検出素子２４（ｉ）をアレイ状に配列した、多チャンネル（ｃｈａｎｎｅｌ）のＸ線検出器となっている。複数の検出素子２４（ｉ）は、全体として、円筒凹面状に湾曲したＸ線入射面を形成する。ｉはチャンネル番号であり例えばｉ＝１〜１０００である。
【００２３】
検出素子２４（ｉ）は、例えばシンチレータ（ｓｃｉｎｔｉｌｌａｔｏｒ）とフォトダイオード（ｐｈｏｔｏ  ｄｉｏｄｅ）の組み合わせによって構成される。なお、これに限るものではなく、例えばカドミウム・テルル（ＣｄＴｅ）等を利用した半導体検出素子またはＸｅガス（ｇａｓ）を用いる電離箱型の検出素子であってよい。
【００２４】
図３に、Ｘ線照射・検出装置におけるＸ線管２０とコリメータ２２とＸ線検出器２４の相互関係を示す。なお、図３の（ａ）は走査ガントリ２の正面から見た状態を示す図、（ｂ）は側面から見た状態を示す図である。同図に示すように、Ｘ線管２０から放射されたＸ線は、コリメータ２２により扇状のＸ線ビーム４００となるように成形されてＸ線検出器２４に照射される。
【００２５】
図３の（ａ）では、扇状のＸ線ビーム４００の広がりを示す。Ｘ線ビーム４００の広がり方向は、Ｘ線検出器２４におけるチャンネルの配列方向に一致する。（ｂ）ではＸ線ビーム４００の厚みを示す。
【００２６】
このようなＸ線ビーム４００の扇面に体軸を交差させて、例えば図４に示すように、撮影テーブル４に載置された対象８がＸ線照射空間に搬入される。走査ガントリ２は、内部にＸ線照射・検出装置を包含する筒状の構造になっている。
【００２７】
Ｘ線照射空間は走査ガントリ２の筒状構造の内側空間に形成される。Ｘ線ビーム４００によってスライス（ｓｌｉｃｅ）された対象８の像がＸ線検出器２４に投影される。Ｘ線検出器２４によって、対象８を透過したＸ線が検出される。対象８に照射するＸ線ビーム４００の厚みｔｈは、コリメータ２２のアパーチャの開度により調節される。
【００２８】
Ｘ線管２０、コリメータ２２およびＸ線検出器２４からなるＸ線照射・検出装置は、それらの相互関係を保ったまま対象８の体軸の周りを連続的に回転（スキャン）する。Ｘ線照射・検出装置の回転と並行して、矢印４２で示すように撮影テーブル４を対象８の体軸方向に連続的に移動させれば、Ｘ線照射・検出装置は、対象８に関して相対的に、対象８を包囲する螺旋状の軌道に沿って旋回することになり、いわゆるヘリカルスキャン（ｈｅｌｉｃａｌ  ｓｃａｎ）を行うことができる。
【００２９】
図５に、本装置の動作のフロー（ｆｌｏｗ）図を示す。同図に示すように、ステップ（ｓｔｅｐ）５０１で、患者登録が行われる。患者登録は表示装置６８および操作装置７０を用いて使用者により行われる。これによって、患者の氏名やＩＤ（ｉｄｅｔｉｆｉｃａｔｉｏｎ）等所定の情報が本装置に登録される。登録情報は記憶装置６６に記憶される。
【００３０】
次に、ステップ５０３で、プロトコル（ｐｒｏｔｏｃｏｌ）設定が行われる。プロトコル設定も表示装置６８および操作装置７０を用いて使用者により行われる。これによって、後述の予備スキャンおよび造影スキャンのスキャン条件を含む撮影のシーケンスが設定される。また、撮影実行の要所で関係者の呼出を行うためのシーケンスも設定される。設定されたシーケンスは記憶装置６６に記憶される。プロトコル設定完了とともにシーケンスが開始する。
【００３１】
シーケンスにしたがって、ステップ５０５で、介護者呼出が行われる。介護者呼出は、呼出装置１２を通じて、介護者が携帯する携帯通信端末１４に所定の信号を送信することによって行われる。
【００３２】
これによって、介護者がたまたま本装置から離れた場所にいるときでも、本装置のもとへ呼び出すことができる。このため、介護者としては、呼び出されたときに来ればよく、最初から本装置の傍で待機している必要はない。したがって、呼び出されるまでは別な場所で別な作業をすることが可能である。
【００３３】
次に、ステップ５０７で、患者導入が行われる。患者導入とは、患者を撮影テーブル４に搭載することである。これは、介護者による介護のもとで適正に行われる。
【００３４】
次に、ステップ５０９で、予備スキャンが行われる。予備スキャンとは造影撮影を行う部位について、造影剤を注入しない状態で撮影することである。これによって得られた画像が造影撮影のレファレンス（ｒｅｆｅｒｅｎｃｅ）画像となる。
【００３５】
次に、ステップ５１１で、医師呼出が行われる。医師呼出は、呼出装置１２を通じて、医師が携帯する携帯通信端末１４に所定の信号を送信することによって行われる。
【００３６】
これによって、医師がたまたま本装置から離れた場所にいるときでも、本装置のもとへ呼び出すことができる。このため、医師としては、呼び出されたときに来ればよく、必ずしも最初から本装置の傍に居なくてもよい。
【００３７】
呼び出された医師は、本装置のもとで、患者に対して、造影剤を注入するための所定の処置を行う。その後、ステップ５１３で、造影スキャンが行われる。すなわち、造影剤注入装置１０により造影剤注入が行われ、それに並行してスキャンが実行される。
【００３８】
造影スキャンが終了すると、ステップ５１５で、介護者呼出が行われる。介護者呼出は、呼出装置１２を通じて、介護者が携帯する携帯通信端末１４に所定の信号を送信することによって行われる。
【００３９】
これによって、介護者がたまたま本装置から離れた場所にいるときでも、本装置のもとへ呼び出すことができる。このため、介護者としては、呼び出されたときに来ればよく、最初から本装置の傍で待機している必要はない。したがって、呼び出されるまでは別な場所で別な作業をすることが可能である。
【００４０】
次に、ステップ５１７で、患者リリース（ｒｅｌｅａｓｅ）が行われる。患者リリースとは、患者を撮影テーブル４から降ろすことである。これは、介護者による介護のもとで行われる。
【００４１】
以上、造影撮影を行うＸ線ＣＴ装置の例によって本発明を説明したが、本発明は、造影撮影を行うＸ線ＣＴ装置に限らず、各種の医用画像撮影装置に適用可能である。
【００４２】
【発明の効果】
以上詳細に説明したように、本発明によれば、撮影実行の要所要所で関係者を呼び寄せる機能を有するを実現することができる。
【図面の簡単な説明】
【図１】本発明の実施の形態の一例の装置のブロック図である。
【図２】Ｘ線検出器の模式図である。
【図３】Ｘ線照射・検出装置の模式図である。
【図４】Ｘ線照射・検出装置の模式図である。
【図５】本発明の実施の形態の一例の装置の動作のフロー図である。
【符号の説明】
２  走査ガントリ
２０  Ｘ線管
２２  コリメータ
２４  Ｘ線検出器
２６  データ収集部
２８  Ｘ線コントローラ
３０  コリメータコントローラ
３４  回転部
３６  回転コントローラ
４  撮影テーブル
６  操作コンソール
６０  データ処理装置
６２  制御インタフェース
６４  データ収集バッファ
６６  記憶装置
６８  表示装置
７０  操作装置
８  対象
１０  造影剤注入装置
１２  呼出装置
１４  携帯通信端末
【図１】
2004167041.tif 000003
【図２】
2004167041.tif 000004
【図３】
2004167041.tif 000005
【図４】
2004167041.tif 000006
【図５】
2004167041.tif 000007